(57)【要約】【課題】隣り合うフィンのピッチを十分に確保して熱交換器の排水性を高める。【解決手段】熱交換器（10）は、それぞれに円形の貫通孔（21）が形成された複数のフィン（20）と、複数のフィン（20）の貫通孔（21）を貫通しかつフィン（20）に接合された円管（30）とを備える。フィン（20）は、貫通孔（21）の縁部から隣のフィン（20）に向かって延びて突端部（23）がフィン（20）と当接するカラー（22）を有する。隣り合うフィン（20）のピッチをＦｐとし、フィン（20）の貫通孔の直径をｄｉとし、かつフィン（20）の厚みをｔｆとして、Ｆｐ／（ｄｉ・ｔｆ）≧３．２が成り立っている。【選択図】図３
2020076531.tif 000002
【特許請求の範囲】
【請求項１】
それぞれに円形の貫通孔（21）が形成された複数のフィン（20）と、
複数の上記フィン（20）の上記貫通孔（21）を貫通しかつ該フィン（20）に固定された円管（30）とを備え、
各上記フィン（20）は、上記貫通孔（21）の縁部から隣の上記フィン（20）に向かって延びて突端部（23）が該フィン（20）と当接するカラー（22）を有し、
隣り合う上記フィン（20）のピッチをＦｐとし、上記フィン（20）の上記貫通孔の直径をｄｉとし、かつ上記フィン（20）の厚みをｔｆとして、Ｆｐ／（ｄｉ・ｔｆ）≧３．２が成り立っている
ことを特徴とする熱交換器。
【請求項２】
請求項１において、
上記カラー（22）の上記突端部（23）は、上記円管（30）の周方向において全周の一部のみに存在する
ことを特徴とする熱交換器。
【請求項３】
請求項２において、
上記カラー（22）の上記突端部（23）は、上記円管（30）の周方向において複数設けられている
ことを特徴とする熱交換器。
【請求項４】
請求項１〜３のいずれか１項において、
上記カラー（22）は、上記突端部（23）が上記円管（30）の径方向外方へ向かって丸みを帯びて湾曲し、かつ基端部（24）が丸みを帯びており、
上記カラー（22）の上記基端部（24）の曲率半径をＲ１とし、かつ上記カラー（22）の上記突端部（23）の曲率半径をＲ２として、Ｒ１≦Ｒ２が成り立っている
ことを特徴とする熱交換器。
【請求項５】
請求項１〜４のいずれか１項において、
上記円管（30）の外径は、３ｍｍ以上かつ５ｍｍ以下である
ことを特徴とする熱交換器。
【請求項６】
請求項１〜５のいずれか１項において、
上記円管（30）は、アルミニウムまたはアルミニウム合金製である
ことを特徴とする熱交換器。
【請求項７】
請求項１〜６のいずれか１項において、
上記円管（30）は、複数設けられており、
２つ以上の上記円管（30）の内部空間に連通する連通空間（41,51,61）が内部に形成されたヘッダ（40,50,60）を備える
ことを特徴とする熱交換器。
【請求項８】
請求項１〜７のいずれか１項に記載の熱交換器（10）を備える
ことを特徴とする空気調和装置。
【発明の詳細な説明】
【技術分野】
【０００１】
本開示は、熱交換器およびそれを備えた空気調和装置に関するものである。
【背景技術】
【０００２】
従来より、貫通孔が形成されたフィンと、当該貫通孔に挿通された伝熱管とを備えた熱交換器が知られている（例えば、特許文献１）。同文献の熱交換器のフィンは、貫通孔を形成するカラーを有しており、例えば同文献の図７に示されるように、当該カラーの突端部は、隣のフィンに当接している。
【先行技術文献】
【特許文献】
【０００３】
【特許文献１】特開２０１６−２０７５７号公報
【発明の概要】
【発明が解決しようとする課題】
【０００４】
ところで、熱交換器において、隣り合うフィンのピッチ（すなわち、あるフィンの平坦部と隣のフィンの平坦部との間の距離）が小さすぎると、当該熱交換器が蒸発器として使用される場合に生じるドレン水が隣り合うフィンの間に留まってしまい、当該ドレン水を十分に排出することが難しくなる。
【０００５】
本開示の目的は、隣り合うフィンのピッチを十分に確保して熱交換器の排水性を高めることにある。
【課題を解決するための手段】
【０００６】
本開示の第１の態様は、熱交換器（10）を対象とする。この熱交換器（10）は、それぞれに円形の貫通孔（21）が形成された複数のフィン（20）と、複数の上記フィン（20）の上記貫通孔（21）を貫通しかつ該フィン（20）に固定された円管（30）とを備え、各上記フィン（20）は、上記貫通孔（21）の縁部から隣の上記フィン（20）に向かって延びて突端部（23）が該フィン（20）と当接するカラー（22）を有し、隣り合う上記フィン（20）のピッチをＦｐとし、上記フィン（20）の上記貫通孔の直径をｄｉとし、かつ上記フィン（20）の厚みをｔｆとして、Ｆｐ／（ｄｉ・ｔｆ）≧３．２が成り立っている。
【０００７】
第１の態様では、Ｆｐとｄｉとｔｆとの間において、Ｆｐ／（ｄｉ・ｔｆ）≧３．２の関係が成り立っている。つまり、フィン（20）の貫通孔（21）の直径に対して、およびフィン（20）の厚みに対して、隣り合うフィン（20）のピッチが十分に大きい。これにより、例えば熱交換器（10）でドレン水が生じたとしても、隣り合うフィン（20）の間に当該ドレン水が溜まりにくくなり、当該ドレン水が排出されやすくなる。このように、第１の態様によると、熱交換器（10）の排水性を高めることができる。
【０００８】
本開示の第２の態様は、上記第１の態様において、上記カラー（22）の上記突端部（23）は、上記円管（30）の周方向において全周の一部のみに存在することを特徴とする。
【０００９】
第２の態様では、カラー（22）の突端部（23）が円管（30）の周方向において全周に存在する場合に比べて、カラー（22）を構成するために一定量の材料を用いると仮定すると、カラー（22）の基端部（24）から突端部（23）までの長さを長くすることができる。ここで、カラー（22）の基端部（24）から突端部（23）までの長さは、隣り合うフィン（20）のピッチに実質的に相当する。つまり、第２の態様によると、カラー（22）の突端部（23）が円管（30）の周方向において全周に存在する場合に比べて、隣り合うフィン（20）のピッチを容易に大きくすることができる。
【００１０】
本開示の第３の態様は、上記第２の態様において、上記カラー（22）の上記突端部（23）は、上記円管（30）の周方向において複数設けられていることを特徴とする。
【００１１】
第３の態様では、あるフィン（20）がその隣のフィン（20）を安定して支持することができる。なぜなら、あるフィン（20）が備えるカラー（22）の複数の突端部（23）によってその隣のフィン（20）が支持されることにより、突端部（23）が１つしか設けられていない場合に比べて支持箇所が多くなるためである。
【００１２】
本開示の第４の態様は、上記第１〜第３の態様のいずれか１つにおいて、上記カラー（22）は、上記突端部（23）が上記円管（30）の径方向外方へ向かって丸みを帯びて湾曲し、かつ基端部（24）が丸みを帯びており、上記カラー（22）の上記基端部（24）の曲率半径をＲ１とし、かつ上記カラー（22）の上記突端部（23）の曲率半径をＲ２として、Ｒ１≦Ｒ２が成り立っていることを特徴とする。
【００１３】
第４の態様では、隣り合うフィン（20）のピッチを安定して確保することができる。なぜなら、Ｒ１≦Ｒ２が成り立っていることにより、あるフィン（20）のカラー（22）の突端部（23）が、その隣のフィン（20）のカラー（22）の基端部（24）、すなわち丸みを帯びている部分ではなく、当該基端部（24）の周辺部分、すなわち当該隣のフィン（20）のうち平坦な部分に当接するためである。
【００１４】
本開示の第５の態様は、上記第１〜第４の態様のいずれか１つにおいて、上記円管（30）の外径は、３ｍｍ以上かつ５ｍｍ以下であることを特徴とする。
【００１５】
第５の態様では、円管（30）を比較的小径に構成することで、熱交換器（10）を通過する空気の圧力損失（すなわち、熱交換器（10）の通風抵抗）を小さくすることができる。
【００１６】
本開示の第６の態様は、上記第１〜第５の態様のいずれか１つにおいて、上記円管（30）は、アルミニウムまたはアルミニウム合金製であることを特徴とする。
【００１７】
第６の態様では、円管（30）をアルミニウムまたはアルミニウム合金で構成することにより、熱交換器（10）の製造コストを低く抑えることができる。
【００１８】
本開示の第７の態様は、上記第１〜第６の態様のいずれか１つにおいて、上記円管（30）は、複数設けられており、２つ以上の上記円管（30）の内部空間に連通する連通空間（41,51,61）が内部に形成されたヘッダ（40,50,60）を備えることを特徴とする。
【００１９】
第７の態様では、ヘッダ（40,50,60）により、２つ以上の円管（30）に対して冷媒を分流または合流させること、それに代えてまたは加えて、熱交換器（10）を空気流れ方向に対して複数列に構成する場合に、ある列を構成する円管（30）とその隣の列を構成する円管（30）との間の接続部を構成することができる。
【００２０】
本開示の第８の態様は、空気調和装置（100）を対象とする。この空気調和装置（100）は、上記第１〜第７の態様のいずれか１つの熱交換器（10）を備える。
【図面の簡単な説明】
【００２１】
【図１】図１は、実施形態１の空気調和装置の冷媒回路図である。
【図２】図２は、実施形態１の熱交換器の構成を概略的に示す斜視図である。
【図３】図３は、実施形態１のフィンの構成を概略的に示す正面図および側面図である。
【図４】図４は、フィンのカラーの形状を説明するための断面図である。
【図５】図５は、円管と液ヘッダとの接続部を拡大して示す断面図である。
【図６】図６は、円管とガスヘッダとの接続部を拡大して示す断面図である。
【図７】図７は、円管と接続ヘッダとの接続部を拡大して平面視で示す断面図である。
【図８】図８は、フィンのカラーの形成方法を説明するための正面図および側面図である。
【図９】図９は、実施形態２のフィンの構成を概略的に示す正面図および側面図である。
【図１０】図１０は、実施形態３のフィンの構成を概略的に示す正面図および側面図である。
【発明を実施するための形態】
【００２２】
《実施形態１》
実施形態１について説明する。本実施形態の空気調和装置（100）は、室内機（8）とこれに接続される室外機（2）とを備え、室内の空気調和を行うものである。
【００２３】
−空気調和装置−
図１を参照して、空気調和装置（100）について説明する。
【００２４】
図１に示すように、空気調和装置（100）は、室内機（8）と、室外機（2）とを備える。空気調和装置（100）では、それぞれ後述する圧縮機（3）、四方切換弁（4）、室外熱交換器（10）、膨張弁（6）、および室内熱交換器（5）が配管で接続され、蒸気圧縮冷凍サイクルを行う冷媒回路（1）を構成している。
【００２５】
〈室内機〉
室内機（8）は、室内（すなわち、空気調和の対象空間）に設置されるものであって、室内熱交換器（5）と、室内ファン（9）とを有する。
【００２６】
室内熱交換器（5）は、内部を流れる冷媒と室内ファン（9）によって供給される室内空気とを熱交換させるものである。室内熱交換器（5）は、例えばフィンアンドチューブ熱交換器によって構成される。
【００２７】
室内ファン（9）は、室内熱交換器（5）に室内空気を供給するためのものである。
【００２８】
〈室外機〉
室外機（2）は、室外に設置されるものであって、圧縮機（3）と、四方切換弁（4）と、室外熱交換器（10）と、室外ファン（7）と、膨張弁（6）とを有する。
【００２９】
圧縮機（3）は、室内熱交換器（5）および室外熱交換器（10）のうち蒸発器として機能するものから流出した低圧ガス冷媒を吸入し、これを圧縮することで高温の高圧ガス冷媒を吐出するものである。圧縮機（3）が吐出した高圧ガス冷媒は、室内熱交換器（5）および室外熱交換器（10）のうち放熱器として機能するものに流入する。
【００３０】
四方切換弁（4）は、冷媒回路（1）における冷媒の流れを可逆的に切り替えるためのものである。具体的に、四方切換弁（4）は、室内熱交換器（5）が蒸発器となって空気調和装置（100）が冷房運転を行うための第１状態（図１に実線で示す状態）と、室内熱交換器（5）が放熱器となって空気調和装置（100）が暖房運転を行うための第２状態（図１に破線で示す状態）とに切替可能である。
【００３１】
室外熱交換器（10）は、内部を流れる冷媒と室外ファン（7）によって供給される室外空気とを熱交換させるものである。室外熱交換器（10）は、例えばフィンアンドチューブ熱交換器によって構成される。室外熱交換器（10）は、熱交換器を構成している。
【００３２】
室外ファン（7）は、室外熱交換器（10）に室外空気を供給するためのものである。
【００３３】
膨張弁（6）は、室内熱交換器（5）および室外熱交換器（10）のうち放熱器として機能するものから流出した高圧液冷媒を減圧するためのものである。膨張弁（6）は、例えば開度調節可能な電子弁によって構成される。
【００３４】
〈運転動作〉
空気調和装置（100）は、冷房運転と暖房運転を選択的に行う。
【００３５】
冷房運転では、四方切換弁（4）が第１状態に設定され、冷媒回路（1）において冷媒が循環する。そして、室外熱交換器（10）が凝縮器（放熱器）として機能し、室内熱交換器（5）が蒸発器として機能する。室内機（8）は、室内空間から吸い込んだ空気を室内熱交換器（5）において冷却し、冷却された空気を室内空間へ吹き出す。
【００３６】
暖房運転では、四方切換弁（4）が第２状態に設定され、冷媒回路（1）において冷媒が循環する。そして、室内熱交換器（5）が凝縮器（放熱器）として機能し、室外熱交換器（10）が蒸発器として機能する。室内機（8）は、室内空間から吸い込んだ空気を室内熱交換器（5）において加熱し、加熱された空気を室内空間へ吹き出す。
【００３７】
−室外熱交換器の構成−
図２は、室外熱交換器（10）の構成を概略的に示す斜視図である。図３は、フィン（20）の構成を概略的に示す正面図および側面図である。図４は、フィン（20）のカラー（22）の形状を説明するための断面図である。図５は、円管（30）と液ヘッダ（40）との接続部を拡大して示す断面図である。図６は、円管（30）とガスヘッダ（50）との接続部を拡大して示す断面図である。図７は、円管（30）と接続ヘッダ（60）との接続部を拡大して平面視で示す断面図である。
【００３８】
これらの図に示すように、室外熱交換器（10）は、二列熱交換器に構成されていて、複数のフィン（20）と、複数の円管（30）と、液ヘッダ（40）と、ガスヘッダ（50）と、接続ヘッダ（60）と、分流器（70）とを備える。
【００３９】
フィン（20）は、図２および図３に示すように、アルミニウムまたはアルミニウム合金で構成された上下に細長い矩形板状の部材であって、図２における左右方向において互いに平行に複数並んでいる。フィン（20）には、円形の貫通孔（21）が複数形成されている。ここで、図２における手前側の列を構成するフィン（20）の貫通孔（21）と、図２における奥側の列を構成するフィン（20）の貫通孔（21）とは、その高さ位置が互いに異なる。
【００４０】
フィン（20）は、貫通孔（21）の縁部から隣のフィン（20）に向かって延びるカラー（22）を有する。カラー（22）は、円管（30）の径方向外方へ向かって丸みを帯びて湾曲した突端部（23）を有し、かつ基端部（24）が丸みを帯びている。カラー（22）の突端部（23）は、隣のフィン（20）と当接しており、これにより隣り合うフィン（20）のピッチが確保されている。なお、カラー（22）の「突端部」とは、カラー（22）の突端の際のみではなく、カラー（22）の突端の際からカラー（22）の基端部（24）に向かってある程度広がる領域のことを言う。
【００４１】
ここで、図３に示すように、隣り合うフィン（20）のピッチをＦｐとし、フィン（20）の貫通孔（21）の直径をｄｉとし、かつフィン（20）の厚みをｔｆとする。この場合において、Ｆｐ／（ｄｉ・ｔｆ）≧３．２の関係が成り立っている。つまり、本実施形態の室外熱交換器（10）は、隣り合うフィン（20）のピッチが、フィン（20）の貫通孔（21）の直径に対して、およびフィン（20）の厚みに対して十分に大きい。
【００４２】
また、カラー（22）の突端部（23）は、円管（30）の周方向において複数設けられると共に、円管（30）の周方向において全周の一部のみに存在している。換言すると、カラー（22）が有する複数の突端部（23）は、それぞれが隣のフィン（20）に向かうにつれて先細るように形成されており、カラー（22）の基端部（24）は円管（30）の周方向において３６０°の範囲にわたって存在している一方、カラー（22）の突端部（23）は円管（30）の周方向において３６０°未満の範囲にしか存在していない。具体例として、本実施形態では、カラー（22）が１２個の突端部（23）を有するところ、図３に示すように、円管（30）の周方向における突端部（23）の一端と貫通孔（21）の中心とを結ぶ半直線（図３に破線で示す）と、突端部（23）の他端と貫通孔（21）の中心とを結ぶ半直線（図３に破線で示す）とのなす角度をθ［°］として、θ×１２＜３６０°の関係が成り立っている。
【００４３】
また、図４に示すように、カラー（22）の基端部（24）の曲率半径をＲ１とし、かつカラー（22）の突端部（23）の曲率半径をＲ２とする。この場合において、Ｒ１≦Ｒ２の関係が成り立っている。なお、０．２ｍｍ≦Ｒ１≦Ｒ２≦０．５ｍｍの関係が成り立っていることが好ましい。
【００４４】
円管（30）は、図２〜図４に示すように、アルミニウムまたはアルミニウム合金で構成された細長い円筒状の部材である。円管（30）の外径は、３ｍｍ以上かつ５ｍｍ以下であるが、この範囲に限られるものではない。円管（30）は、全体が直線状に延びている。すなわち、円管（30）は、その長手方向における一端から他端にわたって直線状に延びている。なお、円管（30）は、一部が湾曲した形状に形成されていてもよい。
【００４５】
円管（30）は、図２〜図４に示すように、フィン（20）の貫通孔（21）に挿通および固定されている。ここで、円管（30）は、当該円管（30）を拡張させる拡管と接合材（例えば、ロウ材）を用いた接合とによってフィン（20）に固定されている。なお、接合材としては、接着剤が用いられてもよいし、他の任意の種類のものが用いられてもよい。また、円管（30）は、接合材を用いずに、例えば拡管のみによって貫通孔（21）に固定されていてもよい。
【００４６】
液ヘッダ（40）は、図２および図５に示すように、手前側の列を構成する円管（30）に対応して設けられた上下に延びる円筒状の部材であって、その上端および下端は閉塞されている。液ヘッダ（40）の内部には、少なくとも１つの、この例では２つの液用連通空間（41）が形成されている。上側の液用連通空間（41）は、２つ以上の、この例では５つの円管（30）の内部空間に連通している。下側の液用連通空間（41）は、２つ以上の、この例では４つの円管（30）の内部空間に連通している。液ヘッダ（40）は、ヘッダを構成しており、液用連通空間（41）は、連通空間を構成している。
【００４７】
ガスヘッダ（50）は、図２および図６に示すように、奥側の列を構成する円管（30）に対応して設けられた上下に延びる円筒状の部材であって、その上端および下端は閉塞されている。ガスヘッダ（50）の内部には、少なくとも１つの、この例では１つのガス用連通空間（51）が形成されている。このガス用連通空間（51）は、２つ以上の、この例では９つの円管（30）の内部空間に連通している。ガスヘッダ（50）には、ガス用連通空間（51）に連通するガス管（82）が接続されている。ガスヘッダ（50）は、ヘッダを構成しており、ガス用連通空間（51）は、連通空間を構成している。
【００４８】
接続ヘッダ（60）は、図２および図７に示すように、手前側の列を構成する円管（30）と、奥側の列を構成する円管（30）とを互いに連通させるための部材である。接続ヘッダ（60）は、上下に延びる中空の直方体状に形成されている。接続ヘッダ（60）の内部には、少なくとも１つの、この例では１つの列間連通空間（61）が形成されている。この列間連通空間（61）は、２つ以上の、この例では全ての円管（30）の内部空間に連通している。接続ヘッダ（60）は、ヘッダを構成しており、列間連通空間（61）は、連通空間を構成している。なお、図７では、実際には高さ位置の異なる２つの円管（30）を同じ平面上に図示している。
【００４９】
分流器（70）は、液管（81）から流れてきた液冷媒を分流させるための部品である。分流器（70）は、液ヘッダ（40）の上側の液用連通空間（41）に連通する第１分岐管（71）と、液ヘッダ（40）の下側の液用連通空間（41）に連通する第２分岐管（72）とを有する。第１分岐管（71）は、上側の液用連通空間（41）の下部に開口している。第２分岐管（72）は、下側の液用連通空間（41）の下部に開口している。
【００５０】
−カラーの形成方法−
フィン（20）のカラー（22）の形成方法について、図８を参照して説明する。図８には、左上、右上、左下、そして右下の順に、孔開け工程と、切込工程と、立上げ工程と、曲げ工程とが示されている。
【００５１】
孔開け工程では、フィン（20）に比較的小さな円形の孔（25）を等間隔で複数形成する。孔（25）の数は、当該フィン（20）に取り付けられる円管（30）の数と同じである。
【００５２】
切込工程では、孔開け工程で形成した孔（25）の中心を通る複数の直線状の切込み（26）を、図８に破線で示す仮想円に向かって放射状に形成する。複数の切込み（26）は、孔（25）の周方向において等間隔に形成されることが好ましい。
【００５３】
立上げ工程では、切込工程で形成した切込み（26）を利用して、上記仮想円に沿って当該切込み（26）の間の部分を立ち上げて複数の立上り部（27）を形成する。この例では、図８における右方に向かって、切込み（26）の間の部分を立ち上げている。ここで、立上り部（27）の基端部は、完成後のカラー（22）の基端部（24）に相当する。また、この立上げ工程では、円管（30）が挿通される貫通孔（21）も形成される。
【００５４】
曲げ工程では、立上げ工程で形成した複数の立上り部（27）の先端部を、貫通孔（21）の軸心に対して径方向外方へ曲げることにより突端部（23）を形成する。これにより、カラー（22）が完成する。
【００５５】
−実施形態１の効果−
本実施形態の室外熱交換器（10）は、それぞれに円形の貫通孔（21）が形成された複数のフィン（20）と、複数の上記フィン（20）の上記貫通孔（21）を貫通しかつ該フィン（20）に固定された円管（30）とを備え、各上記フィン（20）は、上記貫通孔（21）の縁部から隣の上記フィン（20）に向かって延びて突端部（23）が該フィン（20）と当接するカラー（22）を有し、隣り合う上記フィン（20）のピッチをＦｐとし、上記フィン（20）の上記貫通孔の直径をｄｉとし、かつ上記フィン（20）の厚みをｔｆとして、Ｆｐ／（ｄｉ・ｔｆ）≧３．２が成り立っている。したがって、Ｆｐとｄｉとｔｆとの間において、Ｆｐ／（ｄｉ・ｔｆ）≧３．２の関係が成り立っている。つまり、フィン（20）の貫通孔（21）の直径に対して、およびフィン（20）の厚みに対して、隣り合うフィン（20）のピッチが十分に大きい。これにより、例えば室外熱交換器（10）でドレン水が生じたとしても、隣り合うフィン（20）の間に当該ドレン水が溜まりにくくなり、当該ドレン水が排出されやすくなる。このように、本実施形態によると、室外熱交換器（10）の排水性を高めることができる。
【００５６】
また、本実施形態の室外熱交換器（10）は、上記カラー（22）の上記突端部（23）が、上記円管（30）の周方向において全周の一部のみに存在する。したがって、カラー（22）の突端部（23）が円管（30）の周方向において全周に存在する場合に比べて、カラー（22）を構成するために一定量の材料を用いると仮定すると、カラー（22）の基端部（24）から突端部（23）までの長さを長くすることができる。ここで、カラー（22）の基端部（24）から突端部（23）までの長さは、隣り合うフィン（20）のピッチに実質的に相当する。つまり、本実施形態によると、カラー（22）の突端部（23）が円管（30）の周方向において全周に存在する場合に比べて、隣り合うフィン（20）のピッチを容易に大きくすることができる。
【００５７】
また、本実施形態の室外熱交換器（10）は、上記カラー（22）の上記突端部（23）が、上記円管（30）の周方向において複数設けられている。したがって、あるフィン（20）がその隣のフィン（20）を安定して支持することができる。なぜなら、あるフィン（20）が備えるカラー（22）の複数の突端部（23）によってその隣のフィン（20）が支持されることにより、突端部（23）が１つしか設けられていない場合に比べて支持箇所が多くなるためである。
【００５８】
また、本実施形態の室外熱交換器（10）は、上記カラー（22）が、上記突端部（23）が上記円管（30）の径方向外方へ向かって丸みを帯びて湾曲し、かつ基端部（24）が丸みを帯びており、上記カラー（22）の上記基端部（24）の曲率半径をＲ１とし、かつ上記カラー（22）の上記突端部（23）の曲率半径をＲ２として、Ｒ１≦Ｒ２が成り立っている。したがって、隣り合うフィン（20）のピッチを安定して確保することができる。なぜなら、Ｒ１≦Ｒ２が成り立っていることにより、あるフィン（20）のカラー（22）の突端部（23）が、その隣のフィン（20）のカラー（22）の基端部（24）、すなわち丸みを帯びている部分ではなく、当該基端部（24）の周辺部分、すなわち当該隣のフィン（20）のうち平坦な部分に当接するためである。
【００５９】
また、本実施形態の室外熱交換器（10）は、上記円管（30）の外径が、３ｍｍ以上かつ５ｍｍ以下である。したがって、円管（30）を比較的小径に構成することで、室外熱交換器（10）を通過する空気の圧力損失（すなわち、室外熱交換器（10）の通風抵抗）を小さくすることができる。
【００６０】
また、本実施形態の室外熱交換器（10）は、上記円管（30）が、アルミニウムまたはアルミニウム合金製である。したがって、円管（30）をアルミニウムまたはアルミニウム合金で構成することにより、室外熱交換器（10）の製造コストを低く抑えることができる。
【００６１】
また、本実施形態の室外熱交換器（10）は、上記円管（30）が、複数設けられており、２つ以上の上記円管（30）の内部空間に連通する液用連通空間（41）が内部に形成された液ヘッダ（40）と、２つ以上の上記円管（30）の内部空間に連通するガス用連通空間（51）が内部に形成されたガスヘッダ（50）と、２つ以上の上記円管（30）の内部空間に連通する列間連通空間（61）が内部に形成された接続ヘッダ（60）とを備える。したがって、各ヘッダ（40,50,60）により、２つ以上の円管（30）に対して冷媒を分流または合流させること、それに代えてまたは加えて、室外熱交換器（10）を空気流れ方向に対して複数列に構成する場合に、ある列を構成する円管（30）とその隣の列を構成する円管（30）との間の接続部を構成することができる。
【００６２】
さらに、本実施形態の室外熱交換器（10）が備えるフィン（20）のカラー（22）の形成方法は、上記フィン（20）に孔（25）を形成する孔開け工程と、上記孔開け工程で形成した上記孔（25）を中心とする仮想円に向かって放射状に複数の切込み（26）を形成する切込工程と、上記切込工程で形成した上記切込み（26）を利用して、上記仮想円に沿って上記切込み（26）の間の部分を立ち上げて複数の立上り部（27）を形成すると共に上記仮想円を外縁とする貫通孔（21）を形成する立上げ工程と、上記立上げ工程で形成した複数の上記立上り部（27）の先端部を、上記貫通孔（21）の軸心に対して径方向外方へ曲げることにより突端部（23）を形成する曲げ工程とを含む。したがって、例えばバーリングによってカラーを形成する場合に比べて、隣り合うフィン（20）のピッチを容易に大きくすることができる。より詳しくは、円管（30）の周方向において突端部が全周に存在するカラーでは、フィン（20）の素材である板材を引き延ばすバーリングによって当該カラーを筒状に形成する。そのため、カラーが高くなるほど（すなわち、隣り合うフィン（20）のピッチが大きくなるほど）当該カラーの厚さが薄くなる。しかしながら、カラーの厚さがある程度以下になると当該カラーが割れるおそれがある。このため、特に円管（30）の径が小さいときは、板材のうちカラーの形成に使用できる領域が狭くなるためにカラーの高さを確保できないことが多い。一方、本実施形態では、板材を切り起こしてカラー（22）を形成している。このため、円管（30）の径の大小に関わらず、カラー（22）の高さを適切な値に設定することができる。
【００６３】
《実施形態２》
実施形態２について説明する。本実施形態の室外熱交換器（10）は、フィン（20）のカラー（22）の形状が上記実施形態１と異なる。以下、主に上記実施形態１と異なる点について説明する。
【００６４】
図９は、本実施形態のフィン（20）の構成を概略的に示す正面図および側面図である。同図に示すように、フィン（20）のカラー（22）は、貫通孔（21）の縁部の一部のみから隣のフィン（20）に向かって延びている。また、カラー（22）は、円管（30）の周方向において互いに１８０°離れた２つの突端部（23）を有する。
【００６５】
各カラー（22）が有する２つの突端部（23）は、１つのフィン（20）に形成された複数の貫通孔（21）の中心を結ぶ直線（図９に破線で示す）を挟んで配置されている。換言すると、図９に示すように、当該直線によってフィン（20）を第１領域（20a）と第２領域（20b）とに分けた場合に、２つの突端部（23）は、一方が第１領域（20a）に配置されかつ他方が第２領域（20b）に配置されている。
【００６６】
−実施形態２の効果−
本実施形態の室外熱交換器（10）によっても、上記実施形態１と同様の効果が得られる。
【００６７】
また、本実施形態の室外熱交換器（10）は、フィン（20）が備えるカラー（22）が、上記フィン（20）に形成された複数の貫通孔（21）の中心を結ぶ直線によって上記フィン（20）を第１領域（20a）と第２領域（20b）とに分けた場合に、一方が上記第１領域（20a）に配置されかつ他方が上記第２領域（20b）に配置される２つの突端部（23）を有する。したがって、複数のフィン（20）を組み付ける際に、容易に当該フィン（20）を互いに平行に組み付けることができる。
【００６８】
《実施形態３》
実施形態３について説明する。本実施形態の室外熱交換器（10）は、フィン（20）のカラー（22）の形状が上記実施形態２と異なる。以下、主に上記実施形態２と異なる点について説明する。
【００６９】
図１０は、本実施形態のフィン（20）の構成を概略的に示す正面図および側面図である。同図に示すように、フィン（20）のカラー（22）は、貫通孔（21）の縁部の一部のみから隣のフィン（20）に向かって延びている。また、カラー（22）は、円管（30）の周方向において１つの突端部（23）を有する。
【００７０】
１つのフィン（20）における隣り合うカラー（22）が有する突端部（23）は、１つのフィン（20）に形成された複数の貫通孔（21）の中心を結ぶ直線（図１０に破線で示す）を挟んで配置されている。換言すると、図１０に示すように、当該直線によってフィン（20）を第１領域（20a）と第２領域（20b）とに分けた場合に、隣り合う２つのカラー（22）の一方が有する突端部（23）は第１領域（20a）に配置され、当該２つのカラー（22）の他方が有する突端部（23）は第２領域（20b）に配置されている。
【００７１】
−実施形態３の効果−
本実施形態の室外熱交換器（10）によっても、上記実施形態２と同様の効果が得られる。
【００７２】
また、本実施形態の室外熱交換器（10）は、フィン（20）が備える複数のカラー（22）が、上記フィン（20）に形成された複数の貫通孔（21）の中心を結ぶ直線によって上記フィン（20）を第１領域（20a）と第２領域（20b）とに分けた場合に、上記第１領域（20a）に配置される突端部（23）を有するカラー（22）と、上記第２領域（20b）に配置される突端部（23）を有するカラー（22）とを含む。したがって、複数のフィン（20）を組み付ける際に、容易に当該フィン（20）を互いに平行に組み付けることができる。
【００７３】
《その他の実施形態》
上記実施形態については、以下のような構成としてもよい。
【００７４】
例えば、フィン（20）のカラー（22）が有する突端部（23）の数は、上述したものに限られるものではなく、任意に設定することが可能である。
【００７５】
また、例えば、フィン（20）のカラー（22）が突端部（23）を複数有する場合に、各突端部（23）は円管（30）の周方向において等間隔に配置されていなくてもよい。
【００７６】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００７７】
以上説明したように、本開示は、熱交換器およびそれを備えた空気調和装置について有用である。
【符号の説明】
【００７８】
10  室外熱交換器（熱交換器）
20  フィン
21  貫通孔
22  カラー
23  突端部
24  基端部
30  円管
40  液ヘッダ（ヘッダ）
41  液用連通空間（連通空間）
50  ガスヘッダ（ヘッダ）
51  ガス用連通空間（連通空間）
60  接続ヘッダ（ヘッダ）
61  列間連通空間（連通空間）
100  空気調和装置
di  貫通孔の直径
tf  フィンの厚み
FP  フィンのピッチ
R1  基端部の曲率半径
R2  突端部の曲率半径
【図１】
2020076531.tif 000003
【図２】
2020076531.tif 000004
【図３】
2020076531.tif 000005
【図４】
2020076531.tif 000006
【図５】
2020076531.tif 000007
【図６】
2020076531.tif 000008
【図７】
2020076531.tif 000009
【図８】
2020076531.tif 000010
【図９】
2020076531.tif 000011
【図１０】
2020076531.tif 000012